(57)【要約】      （修正有）【課題】被っている帽子を脱いで手に持ち胸の前にかざすと、正面側から見ると日の丸の国旗を模した応援グッズになる帽子を提供する。【解決手段】平面視略円形の帽体とその帽体の下部の全周に鍔２を有する帽子Ｈにおいて、前記帽体１の頂部１ａの上面１１ａを赤系の色彩に形成すると共に、前記鍔２を平面視略四角形に形成し少なくともその鍔２の上面２ａを白系の色彩に形成した。【選択図】図１
0003225531.tif 000002
【実用新案登録請求の範囲】
【請求項１】
平面視略円形の帽体とその帽体の下部の外側全周に鍔を有する帽子であって、前記帽体の頂部の上面を赤系の色彩に形成すると共に、前記鍔を平面視略四角形に形成し少なくともその鍔の上面を白系の色彩に形成することを特徴とする国旗を模した応援グッズになる帽子。
【請求項２】
前記帽体の頂部の下面を白系の色彩に形成した請求項１の国旗を模した応援グッズになる帽子。
【請求項３】
前記赤系の色彩は、前記頂部上面と共に下面にも形成するか、又は前記頂部の上面に代えて下面に形成し、前記白系の色彩は、前記鰐の上面と共に下面にも形成するか、又は前記鰐の上面に代えて下面に形成する請求項１の国旗を模した応援グッズになる帽子。
【請求項４】
前記帽体は、蛇腹状に折り畳み可能に形成した請求項１〜３のいずれかに記載の国旗を模した応援グッズになる帽子。
【請求項５】
前記帽体は略円筒状であり、平面視略四角形の前記鍔は縦横比が略２：３である請求項１〜４のいずれかに記載の国旗を模した応援グッズになる帽子。
【請求項６】
前記帽体の頂部の上面には、赤系の色彩に代えて赤系以外の色彩、又は赤系以外の色彩と任意の図柄を形成し、前記鍔の上面は、白系の色彩に代えて白系の色彩と他の任意の図柄を形成するか、又は白系以外の色彩と別の任意の図柄を形成した請求項１〜５のいずれかに記載の国旗を模した応援グッズになる帽子。
【請求項７】
請求項１〜６のいずれかに記載の帽子であって、その帽子は前記帽体の内面下部にスベリを備え、前記帽体内面と前記スベリの対向面の隙間に、コイル状で錆びないスプリング体を収装した国旗を模した応援グッズになる帽子。
【請求項８】
前記スプリング体は、前記帽体の内面と前記スベリの対向面の、帽子着用者の額側を含む前記帽体内周面の略半分の長さで収装した請求項７に記載の国旗を模した応援グッズになる帽子。
【考案の詳細な説明】
【技術分野】
【０００１】
本考案は、胸の前にかざして、例えば日の丸の国旗のように見える応援グッズとして利用できると共に頭部の蒸れを軽減できる構造を備えた帽子に関する。
【背景技術】
【０００２】
従来、帽子の用途、機能に関するアイデアとしては、折り畳んだり、使用時の外観形態を変更できるようにした帽子や多用途の帽子が特許文献１〜４等によって知られているが、手に持った帽子の姿勢でその帽子を国旗に見えるようにした帽子は見当たらない。
【０００３】
ところで帽子は被っているとき汗をかくと頭部の発汗が帽子の内側に籠り、汗が帽子に染みてしまうため、これが不快に感じるという難点がある。この点は上記の国旗に見えるようにした帽子においても同様である。
【０００４】
汗の籠りによる不快感をなくすため、鰐（プリムともいう）と帽体（クラウンともいう）の境界に近い、帽体の下部内面に周回して設けられているスベリと称される帯状部材に、面ファスナ状の汗取り部材を着脱式で貼付けることが行われている。
【０００５】
しかし、面ファスナ状の汗取り部材は、その入手に要する手間やコスト、貼付けする手間の問題のほか、スベリの上に重ねて貼付けられるため帽子のサイズが変わってしまいサイズの再調整を要するという難点があった。
【先行技術文献】
【特許文献】
【０００６】
【特許文献１】特開２０１７−２２２９６４号公報
【特許文献２】特開２０１７−２０６７８２号公報
【特許文献３】実用新案登録第３２１３９３９号公報
【特許文献４】実用新案登録第３２１３５７７号公報
【考案の概要】
【考案が解決しようとする課題】
【０００７】
そこで本考案では、被っている帽子を脱いで手に持ち胸の前にかざすと、正面側から見ると日の丸の国旗に見える帽子を提供することを課題とし、またこの帽子を被っていても頭部の蒸れを抑制できる帽子の提供も課題とする。
【課題を解決するための手段】
【０００８】
上記課題を解決することを目的としてなされた本考案帽子の構成は、平面視略円形の帽体とその帽体の下部の全周に鍔を有する帽子において、前記帽体の頂部の上面を赤系の色彩に形成すると共に、前記鍔を平面視略四角形に形成し、少なくともその鍔の上面を白系の色彩に形成することを特徴とする。
本考案帽子では、前記頂部の下面も赤系の色彩に形成すると共に、鰐の下面も白系の色彩に形成することができる。本考案において、頂部の色彩と鰐の色彩は、上面と下面の双方又は一方のいずれに形成するかは選択事項である。本考案では前記帽体を蛇腹状の折り畳みできる形態とすることが好ましい。
【０００９】
本考案帽子は、その素材に、天然素材又は化学合成素材による織地、編地、網地、不織布、合成樹脂製のシート地、シート状紙などのいずれかを選択してその帽子を形成することができる。
【００１０】
帽体頂部の赤系の色彩と鍔の白系の色彩は、前記素材自体が持つ色、又は前記素材に付与した色により発現させたり、或は帽子の製造の際、又は製造後に前記色彩を塗布などによって付与することにより発現させることができる。赤色の色彩には、赤紫や黄赤を含むものとする。また、白系の色彩には、ホワイトのほかミルキーホワイト、アイボリーホワイト、パールホワイト、生成色などがある。
【００１１】
本考案における鍔の平面視略四角形の形状は、国旗国歌法の本則における日章旗の制式に準拠して縦横比が２：３であることが好ましいが、この比率の四角形に限定されるものではない、例えば、正方形や各辺が浅い凸状に湾曲した四角形、或は平面から見て横長の六角形や八角形などであってもよい。
【００１２】
上記段落０００７〜００１１において説明した帽子は、使用者が鍔をもって横長の向きにしてその帽子を垂直に立てた状態にしたとき、この姿を略正面から見ると、使用者が胸元に日の丸の国旗を持っているかのように見える。従って、本考案帽子を被って競技の観覧席に居るとき、その帽子を脱いで自分の胸の前にかざすと、応援グッズの日の丸の国旗のようになる。
【００１３】
上記のように本考案帽子は、それを胸の前で立てた姿を正面側から見ると、その帽子があたかも日の丸の国旗を胸の前にかざしているように見えるから、帽体の頂部の色彩を赤系から異なる色彩系に変えたり図柄を加えたりし、また鍔の上面の色彩も白系から異なる色彩系に変えたり図柄を加えたりすると、日の丸の国旗以外の国旗のように見せることが可能になる。
【００１４】
本考案においては、頂部の赤系の色彩と鰐の白系の色彩は、頂部と鰐の夫々の上面と下面の双方又は一方のいずれに形成するかは任意である。このように形成した本考案帽子は前記帽体を蛇腹状などの折り畳みできる形態としておけば、帽子の表向き裏向きに関係なくその帽子を日の丸の国旗のように見せることができる。
【００１５】
本考案帽子においては、頂部の下面を白系に形成したものもある。頂部の下面を白系にした本考案帽子と頂部上面を赤系に形成した本考案帽子は、例えば１００人〜１０００人程度の多人数の客席スペースにおいて、このスペースの略中央部の略円形の範囲の座席で立つ人達に本考案帽子の赤系の頂部上面を外に向けて持ってもらい、この範囲の外側に位置する範囲の座席で立つ人たちに頂部下面を白系にした本考案帽子の白系の頂部下面（帽子の裏側）を外に向けて持ってもらい、集団で各人が持っている本考案帽子を上下、左右に振ると、前記客席スペース全体で一つの日の丸の国旗が波打っているように見えるから、本考案帽子は動態グッズとしても利用できる。
【００１６】
一般に帽子は被っているとき汗をかくと、帽体の内部が汗で蒸れてしまい不快感を覚えことがあるが、本考案帽子ではスベリと帽体内面との対面する隙間に、細い線材をコイル状に巻いた状態のスプリング体を収装することにより、このスプリング体を収装した部分の通気性を確保し、スベリに汗が染みてしまうことを避けることができる。
【００１７】
コイル状のスプリングはプラスチック製又は金属製のいずれでもよいが、金属製の場合にはステンレス鋼などの不銹性金属が望ましい。また、スプリング体を収装する範囲は、汗をかき易い額側に沿って全周の半分程度でよい。半周以上に収装するかどうかは任意である。
【考案の効果】
【００１８】
本考案帽子は、脱いで胸の前にかざすと、あたかも国旗をかざしているように見えるから、応援グッズとしても好適である。
また、コイル状のスプリング体をスベリの裏側に収装した帽子では、帽体内部の通気性を確保できるからスベリや帽体の汗染みを軽減できる。
【図面の簡単な説明】
【００１９】
【図１】本考案帽子の一例の斜視図。
【図２】図１の帽子を立てた姿勢の正面図。
【図３】図１のＡ−Ａ矢視断面図。
【図４】スプリング体を図３のＢ部に適用した例の部分拡大断面図。
【考案を実施するための形態】
【００２０】
次に本考案帽子の実施の形態例について図を参照して説明する。
図において、Ｈは、帽体１の下部外周に平面視略四角形の鍔２を有するハット系の本考案帽子である。
帽体１は、図１の例を平面から見るとほぼ真円形（図２参照）であるが、真円形から外れた円形であってもよい。
【００２１】
帽体１は頂部１ａと筒部１ｂを備えている。前記頂部１ａと筒部１ｂは、当初から一体のものであっても、別体のものを後から一体化したもののいずれであってもよい。また、帽体１の筒部１ｂの高さも、図示したものより高くてもよく、低いものであってもよい。筒部１ｂは、蛇腹状に折り畳み可能に形成したものでもよい。
【００２２】
鍔２は、図示した例では、平面から見た縦横比が２：３の略長方形であり、前記帽体１が、その中心をこの鍔２の中心に合致させた状態で鍔２に一体化されている。
【００２３】
前記鍔２と帽体１とは、成形などにより当初より一体化されている帽子Ｈや、製造工程で鍔２と帽体１が縫合、接着等によって一体化される帽子Ｈがあるが、本考案はいずれの帽子Ｈにも適用できる。
【００２４】
本考案帽子Ｈの素材には、天然繊維や化学繊維の織地、編地、網地（メッシュ地）、不織布、合成樹脂シート地、シート状の紙のいずれを選択してもよい。編成素材としてはパナマソウや麦わら等の天然素材、或はこれらの化学合成素材がある。
【００２５】
上記の本考案帽子Ｈでは、帽体１の頂部１ａの上面１１ａの色彩を赤色にするとともに、鍔２の少なくとも上面２ａの色彩を白または白系にしたことにより、この帽子Ｈを脱いで胸の前にかざすと、図２に示すように日の丸の国旗に見える。従って、本考案帽子Ｈは日の丸の国旗を模した応援グッズとして利用することができる。
【００２６】
上記頂部１ａの上面１１ａは、その色彩を赤系以外の色彩や適宜の図柄を表示する一方、鍔２の上面２ａの色も白系以外の色彩にしたり適宜の図柄を表示することにより、帽子Ｈを立てた姿勢にしたとき、正面側から見て日の丸以外の国旗を模した態様とすることができる。
【００２７】
本考案では、頂部１ａの下面１２ａも赤系の色彩に形成すると共に鰐２の下面２ｂも白系の色彩に形成することもできる。この場合筒部１ｂの外面１１ｂと内面１２ｂも白系の色彩に形成し、且つ筒部１ｂを蛇腹状に折畳めるように形成しておくとよい。
こうすると帽子Ｈの表、裏に関係なく胸の前にかざして日の丸の国旗のように見せることができる。本考案において頂部１ａの上面１１ａと下面１２ａの双方又は一方に赤系に色彩を形成するか、及び鰐２の上面２ａと下面２ｂの双方又は一方に白系の色彩を形成するかは選択事項である。
【００２８】
上記帽子Ｈにおいて、帽体１の下部内面（筒部１ｂの内面１２ｂの下部）の全周には、帽子フィットを兼用する汗取り用の帯状部材がスベリ３として設けられている。スベリ３は吸湿性を有する素材であればよく、帽子Ｈと同じ素材の場合と別部材の場合がある。
【００２９】
本考案帽子Ｈでは、前記スベリ３の内面３ａと帽体１の筒部１ｂの内面１１ｂの間に、図４に例示する形態で、通気のために線材をコイル状に巻いたスプリング体４を収装することがある。
【００３０】
前記スプリング体４は、錆びないステンレス鋼等の金属製、又は合成樹脂製であり、帽体１の全周に亘って設けたスベリ３に対し、前頭部側（額側）を中心に略半周程度の長さで、当該スベリ３の内面３ａと筒部１ｂの内面１１ｂの間に収装される。
【００３１】
通気用のスプリング体４が配置されることにより、スベリ３のスプリング体４が入っている部分（額側）の通気性が確保されるので、帽体１の内部の蒸れを軽減することができる。
【００３２】
本考案帽子Ｈは以上のとおりであるから、帽子本来の用途を満足できる上に、脱いで日の丸の国旗のように見せることができる応援グッズとして利用でき、しかも被っていても頭部が蒸れにくい帽子として有用である。
【符号の説明】
【００３３】
Ｈ  本考案帽子
１  帽体
１ａ  頂部
１１ａ  頂部１ａの上面
１２ａ  頂部１ａの下面
１ｂ  筒部
１１ｂ  筒部１ｂの外面
１２ｂ  筒部１ｂの内面
２  鍔
２ａ  鍔２の上面
２ｂ  鍔２の下面
３  スベリ
４  コイル状のスプリング体
【図１】
0003225531.tif 000003
【図２】
0003225531.tif 000004
【図３】
0003225531.tif 000005
【図４】
0003225531.tif 000006
【手続補正書】
【提出日】令和1年11月12日(2019.11.12)
【手続補正１】
【補正対象書類名】実用新案登録請求の範囲
【補正対象項目名】全文
【補正方法】変更
【補正の内容】
【実用新案登録請求の範囲】
【請求項１】
平面視略円形の帽体とその帽体の下部の外側全周に鍔を有する帽子であって、前記帽体の頂部の上面を赤系の色彩に形成すると共に、前記鍔を平面視略四角形に形成し少なくともその鍔の上面を白系の色彩に形成することを特徴とする国旗を模した応援グッズになる帽子。
【請求項２】
前記帽体の頂部の下面を白系の色彩に形成した請求項１の国旗を模した応援グッズになる帽子。
【請求項３】
前記赤系の色彩は、前記頂部上面と共に下面にも形成するか、又は前記頂部の上面に代えて下面に形成し、前記白系の色彩は、前記鰐の上面と共に下面にも形成するか、又は前記鰐の上面に代えて下面に形成する請求項１の国旗を模した応援グッズになる帽子。
【請求項４】
前記帽体は、蛇腹状に折り畳み可能に形成した請求項１〜３のいずれかに記載の国旗を模した応援グッズになる帽子。
【請求項５】
前記帽体は略円筒状であり、平面視略四角形の前記鍔は縦横比が略２：３である請求項１〜４のいずれかに記載の国旗を模した応援グッズになる帽子。
【請求項６】
前記帽体の頂部の上面には、赤系の色彩に代えて赤系以外の色彩、又は赤系以外の色彩と任意の図柄を形成し、前記鍔の上面は、白系の色彩に代えて白系の色彩と他の任意の図柄を形成するか、又は白系以外の色彩と別の任意の図柄を形成した請求項１又は２若しくは請求項４又は５のいずれかに記載の国旗を模した応援グッズになる帽子。
【請求項７】
請求項１〜６のいずれかに記載の帽子であって、その帽子は前記帽体の内面下部にスベリを備え、前記帽体内面と前記スベリの対向面の隙間に、コイル状で錆びないスプリング体を収装した国旗を模した応援グッズになる帽子。
【請求項８】
前記スプリング体は、前記帽体の内面と前記スベリの対向面の、帽子着用者の額側を含む前記帽体内周面の略半分の長さで収装した請求項７に記載の国旗を模した応援グッズになる帽子。
【手続補正書】
【提出日】令和2年1月7日(2020.1.7)
【手続補正１】
【補正対象書類名】実用新案登録請求の範囲
【補正対象項目名】全文
【補正方法】変更
【補正の内容】
【実用新案登録請求の範囲】
【請求項１】
平面視略円形の帽体とその帽体の下部の外側全周に鍔を有する帽子であって、前記帽体の頂部の上面を赤系の色彩に形成すると共に、前記鍔を平面視略四角形に形成し少なくともその鍔の上面を白系の色彩に形成することを特徴とする国旗を模した応援グッズになる帽子。
【請求項２】
前記帽体の頂部の下面を白系の色彩に形成した請求項１の国旗を模した応援グッズになる帽子。
【請求項３】
前記赤系の色彩は、前記頂部上面と共に下面にも形成するか、又は前記頂部の上面に代えて下面に形成し、前記白系の色彩は、前記鰐の上面と共に下面にも形成するか、又は前記鰐の上面に代えて下面に形成する請求項１の国旗を模した応援グッズになる帽子。
【請求項４】
前記帽体は、蛇腹状に折り畳み可能に形成した請求項１〜３のいずれかに記載の国旗を模した応援グッズになる帽子。
【請求項５】
前記帽体は略円筒状であり、平面視略四角形の前記鍔は縦横比が略２：３である請求項１〜４のいずれかに記載の国旗を模した応援グッズになる帽子。
【請求項６】
前記帽体の頂部の上面は、赤系以外の色彩、又は赤系以外の色彩と任意の図柄を形成し、前記鍔の上面は、白系の色彩と他の任意の図柄を形成するか、又は白系以外の色彩と別の任意の図柄を形成した請求項１〜５のいずれかに記載の国旗を模した応援グッズになる帽子。
【請求項７】
請求項１〜６のいずれかに記載の帽子であって、その帽子は前記帽体の内面下部にスベリを備え、前記帽体内面と前記スベリの対向面の隙間に、コイル状で錆びないスプリング体を収装した国旗を模した応援グッズになる帽子。
【請求項８】
前記スプリング体は、前記帽体の内面と前記スベリの対向面の、帽子着用者の額側を含む前記帽体内周面の略半分の長さで収装した請求項７に記載の国旗を模した応援グッズになる帽子。